(57)【要約】【課題】磁性材料で作られた鋸装置の刃を選択された鋸引線に対してピンと張り、かつそれをその線上を保持する方法及び装置を提供する。【解決手段】磁性材料で作られた鋸装置の刃（１）を選択された鋸引線に対してピンと張り、それを線に留まるように誘導する方法。要素（６）により、鋸の緊張度は、刃（１）に対して、要素（６）間の鋸引部分に形成された選択された鋸引線に対して刃を横方向に移動させるようにピンと張られ、かつ要素（６）により、刃（１）は、刃（１）の鋸引線を鋸引線上に留めることを目的とした部分を調節するために鋸引中に継続して影響を受ける。【選択図】図１
2009502581.tif 000002
【特許請求の範囲】
【請求項１】
磁性材料で作られた鋸装置の刃（１）を選択された鋸引線に対してピンと張り、それを該線上に留まるように誘導する方法であって、
刃（１）に対して磁力を発生する要素（６）により、鋸の緊張度が、刃（１）に対して、該要素（６）間の鋸引部分に形成された選択された鋸引線に対して該刃を横方向に移動させるようにピンと張られ、かつ該要素（６）により、刃（１）が、刃（１）の鋸引線を該鋸引線上に留めることを目的とした部分を調節するために鋸引中に継続して影響を受ける、
ことを特徴とする方法。
【請求項２】
刃（１）が、前記鋸引線の外側に配置された磁気要素（６’）を用いて又は要素（４）の横方向運動を用いてピンと張られ、それによって刃（１）が、横方向に外れ、その要素の磁力又は移動力／運動が、前記選択された鋸引線に関する刃（１）の観測位置によって制御されることを特徴とする請求項１に記載の方法。
【請求項３】
前記刃をピンと張り、かつ前記鋸引線の外側に配置される要素（６’）の磁力及び軸受ハウジング（４）の位置が、刃（１）で観測される緊張度によって制御されることを特徴とする請求項１に記載の方法。
【請求項４】
要素（６）が、鋸引される物体（７）の前後に刃（１）に対して配置されることを特徴とする請求項１に記載の方法。
【請求項５】
要素（６）を用いて、刃（１）を該要素から離れるように押す力又はそれを該要素に対して引く力が生じることを特徴とする請求項１に記載の方法。
【請求項６】
前記刃の方向に少なくとも２つが並んだ要素（６）が存在し、かつそれらは、該刃の方向が望ましい方向に変更されると別々に調節されることを特徴とする請求項１に記載の方法。
【請求項７】
磁化材料で作られた刃（１）を選択された線に対してピンと張り、かつそれを該線上に留まるように誘導するための制御及び引張装置であって、
磁力を発生する要素（６）、
を含み、
それによって刃（１）を該要素（６）間に形成された選択された鋸引線に対して横方向運動によってピンと張ることができ、
制御装置は、刃（１）の鋸引線が前記鋸引線上に留まるための部分を調節する目的で鋸引中に要素（６）の前記磁力を継続して調節するためのものである、
ことを特徴とする装置。
【請求項８】
刃（１）の近くに押す及び／又は引く要素（６）が、鋸引される物体の前部及び背部に刃（１）に対して配置されることを特徴とする請求項７に記載の装置。
【請求項９】
刃（１）の横方向に並んで多くの要素（６）が存在することを特徴とする請求項７に記載の装置。
【請求項１０】
鋸装置の磁化材料で作られた刃８を磁力又は横方向運動を発生する要素（６）；（４）によって選択された鋸引線上に留まるように誘導する方法であって、
いくつかの要素の対（６ａ、ｂ）；（６ｂ’）；（６ａ、ｂ）、（４）又は（６ｃ）、（６ｄ）が、この方法において用いられ、これらの対は、丸鋸では１８０度の角度、及び帯鋸では異なる方向の刃（１）の部分上のようなその異なる側又は対向する刃（１）、（８）の方向の部分上に鋸引される物体（７）に関して刃（１）、（８）の近くに配置され、
前記要素によって発生した磁力又は横方向運動は、互いに依存して調節され、そのために前記対の他方のメンバによって実行される該調節処理は、同時又は実質的に同時の調節によって容易になる、
ことを特徴とする方法。
【請求項１１】
少なくとも磁気要素（６）が、刃（１）；（８）に継続して影響を与えるように前記磁力によって誘導されることを特徴とする請求項１０に記載の方法。
【発明の詳細な説明】
【技術分野】
【０００１】
本発明は、磁性材料で作られた鋸装置の刃を選択された鋸引線に対してピンと張り、かつそれをその線上を保持する方法及び装置に関する。鋸装置は、丸鋸又は帯鋸である。
【背景技術】
【０００２】
公開スウェーデン特許出願第４３６８４９号で以前から公知のものは、選択された鋸引線上に留まるように刃を位置決めするために磁力によって働くシステムである。刃が線上に留まる場合、磁力は刃に伝導されない。刃が線からそれて移動すると、磁力によって刃を線に戻そうとする。この文献に説明されていることは、同じ発明を帯鋸の帯ナイフに適用することもできるということである。
文献ＷＯ第００／４７３７８号に表されているのは、鋸引される物体の内部で選択された鋸引線からの刃の逸脱が観測される時の磁力による帯鋸帯ナイフの制御である。帯ナイフは、必要であればそれを鋸引線に戻すために磁力によって鋸引される物体の内部に方向転換される。
【０００３】
磁性材料の刃の上述の制御及び安定構成は、鋸引線からの刃の逸脱が感知された時にのみ主に作動し、それによって木の内部の刃を鋸引線に誘導しようとすることで鋸引の質の改善を試みるものである。帯鋸で公知であるのは、機械的引きずり又は横揺れであり、これは、引きずられる物体に近く、通常は刃の方向にその直後に起こる。これらの引きずり及び横揺れが、この帯鋸においては、鋸引線を決める。文献ＳＥ４３６８４９では、調節ビットが磁石に交換され、磁石は、鋸引される木のすぐ前及びその後に刃の近くの丸鋸の両側に配置される。これらのものを用いて、鋸引される木がその不均一性によって刃の向きを変えようとしても、刃は、選択された線上に留まるように誘導される。これらは、同じ直径の線上にあるので、熱膨張のために刃の波形への曲げ及び波状横揺れを防がない。波形は、これらの点に対する振幅点に向かうのみであり、刃は、依然として横揺れして振動する。
上述の発明は、帯鋸の機械的引きずり又は横揺れを置き換えることに集中し、この発明は、刃を選択された鋸引線に横方向に移動させることによる刃内に磁力を発生する要素による方法を特徴とし、鋸引線は、要素間の鋸引部分上に形成され、刃は、鋸引線上に刃を留めるための部分を制御するために鋸引中に要素の影響を受け続ける。
【０００４】
【特許文献１】公開スウェーデン特許出願第４３６８４９号
【特許文献２】ＷＯ第００／４７３７８号
【発明の開示】
【０００５】
本発明による装置は、装置が、磁力を発生する磁気要素を含み、それによって鋸装置の刃が、横方向運動によって選択された鋸引線に対してピンと張ることができ、鋸引線が要素間に形成される間に、要素の磁力の継続的調節のための制御装置が、刃の鋸引線のための部分を鋸引線上に留めることを目的として鋸引中に作動することを特徴とする。
磁力を発生する要素によって又は横方向運動を発生する要素によって磁性材料の刃を鋸引線上に留めるように誘導する本発明による方法は、本方法においていくつかの要素の対が用いられ、これらの対が、丸鋸において１８０度の角度及び帯鋸において異なる方向に延びる刃の部分上のような刃の対向する側の部分上に鋸引される物体に対して異なる側の刃の近くに配置され、要素によって発生される磁力又は横方向運動は、対の他方のメンバによって実行される調節処理が容易にされ、同時に対の他方のメンバの同時又は実質的に同時の調節が容易にされるように互いによって調節されることを特徴とする。
【０００６】
本発明の利点は、帯鋸において有害な引きずりを接触不能な引き磁石又は押し磁石で置換することができ、それによって引きずりの使用によって生じる多くの不利益を回避することができることである。引きずりは、帯回転を引き裂き、過剰な摩擦を生じ、帯内に熱も発生させる。磁石によって生じる力は、帯を摩耗させず、かつ引き裂かず、それらの位置及び帯位置の調節を維持し、すなわち、磁石からの距離が容易に調節される。帯への熱の影響も小さいままである。本発明の別の実施形態では、引きずりは保持されるが、これらに向けられる力は、機械的引きずり力による磁力を横方向運動の力全体の少なくとも５０％未満に非常に小さく保持して実質的に低減される。
【０００７】
磁石で調節される帯鋸の刃−ナイフの位置は、異なる応力状況において、異なる理由で刃に向けられる歪みの害を変える傾向にある異なる状況にも関わらず所定位置に維持することができる。
丸鋸が波形になる傾向を防ぐために、互いに対する磁石装置の調節により、ナイフ−帯が回転によって出現する波形になる傾向をより良く防ぐことができる。
以下において、本発明を添付した図を参照して開示する。
【発明を実施するための最良の形態】
【０００８】
図１は、従来の帯鋸を示し、これは、２つのホイール２及び３の周囲に帯−ナイフ１が回るよう配置されている。ホイール２の軸受スポット４は、移動することができ、適切な予備緊張を得るように使用することによって力Ｆがこれに向けられる。ホイール３の軸受スポット５は、固定することができる。木７が配置される鋸引スポットにおいて、帯−ナイフ１は、ホイール２と３の周囲の間の直線から僅かに引っ張られる。この引っ張りを備えて鋸引線が形成され、これは、鋸引中いつも保持されることを意味する。本発明による方法において、この線は、要素６（図参照）によって帯−ナイフ１が要素６間の領域の外側に僅かにそれる押す力Ｆｐの結果形成される。公知の解決法では、引きずり又は横揺れが存在する。要素は、磁石であり、それによって帯−ナイフ１は、同じ極性に磁化され、要素６から緩む傾向にある。すなわち、最終延伸力が、帯−ナイフ１の横方向運動によって発生される力で磁石６ａ、６ｂを利用して帯−ナイフに形成される。各要素６において、帯−ナイフ１の位置を観測するために距離検出器も存在する。
【０００９】
別の実施形態では、要素６は、図５の解決法に関して、帯−ナイフ１の他の側に配置され、引く力により、帯−ナイフ１は、鋸引線に従って横方向に移動する。一実施形態では、帯−ナイフ１は、引く又は押す磁石のいずれかによって装置内に横方向に移動する。
帯鋸が要素６から離れて留まるような種類のものには、反発力又は引張力が選択される。要素６は、その力に関して、最も適切に電気的に制御された電磁石である。要素との接続において、機械的又は電気的のいずれかで距離検出器を接合することは容易であり、それによって磁石の反発力又は引張力は、要素からの帯−ナイフの距離が変化する時に迅速に調節可能である。例えば、鋸引される木７の材料の節が多くなり、押す／引く力の必要が増加すると、距離を僅かに変えることができる。
要素６の必要な引く又は押す力Ｆｐは、刃に形成される緊張力に比べて非常に小さい。例えば、緊張力の５０分の１から２００分の１とすることができる。
【００１０】
図４に示すように、磁気要素６との接続において、機械的引きずり９又は横揺れを有することができ、それによって磁力によって刃が要素から離れて留まるように調節されるか又は非接触の刃の制御が配置され、又は引きずり又は横揺れが刃に接触するが、その接触力が磁石によって実質的に軽減されるかのいずれかになる。実質的な軽減は、例えば５０％を超える。この時に磁石制御が何らかの理由で緩みを生じたとしても、鋸引は、全てが停止するわけではない。引きずり又は横揺れは、要素と接続するか又は別々に要素のそばにあるかのいずれかであり、それによってそれらは、例えば摩耗に関わらず移動することができる。
【００１１】
図２は、側面から見た図１によるナイフ−帯を示している。ナイフ−帯の幅は、例えば、６０から２００ｍｍである。幅広い刃によって、多くの要素６が並ぶことができる。次に、並んだ要素６ａ及び６ｂの別々の調節があると、刃の方向の可能な方向転換は容易に補正される。刃は方向転換することもでき、これらの要素の異なる相互調節で方向を変える。刃−ナイフをただ拒絶するだけのもの又は刃−ナイフをただ引くだけのもののいずれかの要素も存在することができる。当然、両方の場合に、適切なナイフ−帯の両側に設置がもたらされる。両方の要素タイプはまた、帯−ナイフの異なる側に同時に使用することができる。
【００１２】
帯−ナイフ１に加えて、図１には付加的な緊張磁石６’があり、これは、ナイフ−帯１の戻り側のホイール２と３の間に配置される。木によって刃に異なる荷重が入るか（特に突然のもの）、又は加温又は使用によって刃が長くなると、刃１の緊張度、及びそれによって緊張磁石６ａ及び６ｂに対する距離も変化する。この変化は、刃１の鋸引線を移動させ、これは許容することができない。これを防ぎ迅速にこれに反応するために、付加的な磁石６’の調節が、磁石６ａ及び６ｂの調節により、具体的には、磁石６ａ、６ｂからの距離の表示によって行われ、従って、刃１の緊張が低減して磁石６ａ、６ｂの調節にも関わらず距離が保持されない時に、磁石６’は、延伸磁石６ａ及び６ｂからの刃１の距離が初期のままであるようにその初期緊張まで帯１を延伸させる。刃１の緊張が増加すると、磁石６’は、それに従ってその緊張を低減する。従って、磁石６ａ、６ｂ及び６’の調節装置は、互いの独立した対として作動する。このようにして、刃１の要素６との可能な接触、及び刃の有害な緩みは回避され、緊張磁石からの刃１の距離は、程よく保持されることが特に可能である。
付加的な磁石６’の代わりに、刃１の緊張の調節により、対の磁石６ａ、６ｂとして、実施形態において、ホイール２の軸受ハウジング４の機械的移動機器も、調節構成が互いに依存して接続されるものを含んで作動することができる。
【００１３】
実施形態では、付加的な磁石６’又は軸受ハウジング４による刃１の緊張の調節は、刃の緊張を測定するセンサに基づいて別々に行われる。
図３は、従来の丸鋸８を示し、その外周には、本発明による要素６が、刃に現れる計算された線からの移行を防ぐように設けられている。
しかし、この場合に、鋸引線自体は、要素によって形成されないが、それは、依然として保持される。鋸引線は、丸鋸の平坦性によって形成される。平坦性は、例えば、要素６の継続制御によって維持される。
【００１４】
図５は、丸鋸刃８を端部から示している。丸鋸８の外形によって、例えば、上縁部における刃の横方向運動は、下縁部において対向する方向への刃の動きを引き起こす（図５）。これは、円形刃が加温によって波形になる傾向にある時、また、木の固有の性質が刃を鋸引スポットの側面に導く時に発生する。従って、刃８の安定性は、例えば、下縁及び上縁部、並びに縁部の距離に対して水平に前縁及び後縁部で４つのスポットに少なくとも一緒に要素がある時に、本発明によって特に改善することができる。具体的には、丸鋸の場合、磁気要素６の磁力によって、円形刃８をいつも中心に保つことができる。引きずり９及び横揺れは、丸鋸の場合には、従って、刃８にいつも接触することもができるが、帯鋸の場合で上述したように、磁石によって緩和することができる。
【００１５】
要素の対６ｃ及び６ｄの図５によると、一方は、上縁部にあり、他方は、下縁部にある。これらのものの制御は、例えば６ｃのような他方の対のメンバの距離センサが刃１の動きを観測すると、直ちにこの磁力の制御が問題の要素６ｃ及び対向する側の要素６ｄにもその両方に与えられるように互いに依存して行われる。電子機器により、制御は、非常に迅速であり、従って、反対側では、次の動きを予測することができ、反対磁力で少なくとも部分的に反対側に補正することができる。丸鋸の刃８に関連して、このようにして調節される要素の少なくとも２つの対があり、これが互いに対して直径線上で横方向に最も適切に作動することが有利である。帯鋸刃１に関連して、少なくとも１つの対があり、そのうちの他方の磁石メンバ６’又は軸受ハウジング４の移動構成は、鋸引が発生するもの以外の他の方向に延びる部分上にある。
図４は要素６を示し、その縁部には、刃−ナイフが何らかの理由で要素に近づきすぎるとこれに対して刃−ナイフ１が滑っていく僅かな摩擦隆起部９がある。この高位は、要素の表面から例えば０．５ｍｍの高さである。上述のように、刃との連続した接続においてさえも、引きずりは、軽減されて作動するように配置することができる。
【図面の簡単な説明】
【００１６】
【図１】帯鋸を側面から示す図である。
【図２】刃鋸の刃−ナイフを部分切り欠きで示す図である。
【図３】丸鋸を示す図である。
【図４】要素を示す図である。
【図５】丸鋸の刃を一端から示す図である。
【符号の説明】
【００１７】
１  鋸装置の刃
６  磁気要素
【図１】
2009502581.tif 000003
【図２】
2009502581.tif 000004
【図３】
2009502581.tif 000005
【図４】
2009502581.tif 000006
【図５】
2009502581.tif 000007
【国際調査報告】
2009502581.tif 000008
2009502581.tif 000009
2009502581.tif 000010
2009502581.tif 000011
2009502581.tif 000012